(57)【要約】【課題】従来、浴室に除湿機能を持たせて衣類の乾燥制御を行うことができるようにした衣類乾燥装置が提案されている。かかる衣類乾燥装置には、圧縮機、凝縮器、蒸発器、送風機、排気ダクト、制御装置などが一体となって納まり、浴室の天井開口を通して天井裏に設置される形態であったが、浴室の天井に専用開口を新設する必要があり、また、ダクトの配管や配線工事をしなければならず、設置工事が大掛かりで大変な時間を要していた。【解決手段】本発明は、圧縮機及び制御装置を天井裏に分離設置することで、循環用送風機と蒸発器と凝縮器を収納する室内機を軽量コンパクト化し、簡単に浴室の天井表面や天井換気扇などに設置できるようにするものである。【選択図】  図１
2004163081.tif 000002
【特許請求の範囲】
【請求項１】
浴室内の空気を吸い込んで浴室内へ吹出す循環用送風機と、浴室内から吸い込んだ空気を冷却する蒸発器と、前記蒸発器で冷却された空気を再加熱する凝縮器と、冷媒を圧縮して前記凝縮器及び前記蒸発器へ冷媒を循環させる圧縮機と、前記圧縮機と前記凝縮器と前記蒸発器とをそれぞれ接続して冷媒を循環させるための冷媒配管とを備えた浴室除湿機において、前記循環用送風機と前記蒸発器と前記凝縮器を収納する室内機を浴室内の天井表面又は壁表面に設置するとともに、前記圧縮機を浴室の天井裏に分離設置したことを特徴とする浴室除湿機。
【請求項２】
前記室内機は、既設のまたは新設の浴室内の空気を排気する換気扇の収納ケースに一体形成された、前記換気扇を浴室の天井に取付けるためのフランジ部に取付けることを特徴とする請求項１記載の浴室除湿機。
【請求項３】
前記浴室除湿機と前記換気扇の両方を制御する制御装置は、前記圧縮機を収納する圧縮機収納ケース内に搭載することを特徴とする請求項２記載の浴室除湿機。
【請求項４】
前記換気扇に接続されている電源供給のための既設の電源線を外して該既設の電源線を前記制御装置に接続し、新設の電源線を前記制御装置と前記換気扇に接続して前記制御装置より前記換気扇へ電源供給するようにするとともに、前記制御装置と前記室内機の前記循環用送風機に運転指令のための出力信号線を接続したことを特徴とする請求項３、４記載の浴室除湿機。
【請求項５】
前記出力信号線及び前記冷媒配管を前記フランジ部に貫通させるとともに、前記室内機の表面化粧パネルで前記換気扇のフランジ部を覆って見えなくしたことをたことを特徴とする請求項５記載の浴室除湿機。
【請求項６】
前記蒸発器の下方に前記蒸発器の表面で発生した結露水を受けるための受け皿を設置し、該受け皿には結露水を浴室内へ排水させることを特徴とする請求項１乃至５記載の浴室除湿機。
【請求項７】
前記室内機に浴室の湿度を検出する湿度センサーを設置し、前記制御装置に予め記憶させた設定湿度の値と湿度センサーで検出された湿度の値との比較結果から、前記換気扇の運転または浴室除湿機の運転を選択することを特徴とする請求項３乃至６記載の浴室除湿機。
【請求項８】
前記制御装置は、浴室内において衣類等を乾燥させる乾燥運転の初期には前記換気扇による換気運転を行い、前記換気扇の運転停止後は前記浴室除湿機による除湿運転に切替えることを特徴とする請求項３乃至７記載の浴室除湿機。
【発明の詳細な説明】
【０００１】
【発明の属する技術分野】
本発明は、浴室内の空気を吸い込んで浴室内へ吹出す循環用送風機と、浴室内から吸い込んだ空気を冷却する蒸発器と、蒸発器で冷却された空気を再加熱する凝縮器と、冷媒を圧縮して凝縮器及び蒸発器へ冷媒を循環させる圧縮機と、圧縮機と凝縮器と蒸発器とをそれぞれ接続して冷媒を循環させるための冷媒配管とから構成された浴室除湿機に関する。
【０００２】
【従来の技術】
従来、浴室に除湿機能を持たせて衣類の乾燥制御を行うことができるようにした衣類乾燥装置が提案されている。かかる衣類乾燥装置には、圧縮機、凝縮器、蒸発器、送風機、排気ダクト、制御装置などが一体となって納まり、浴室の天井に専用の開口を設けて該開口を通して天井裏に設置される形態であった(例えば、特許文献１参照。)。
【０００３】
【特許文献１】
特開昭６０−２２２０９１号公報。
【０００４】
【発明が解決しようとする課題】
しかしながら、上記従来技術によると、浴室の天井に専用開口を新設する必要があり、また、ダクトの配管や配線工事をしなければならず、設置工事が大掛かりで大変な時間を要していた。又、装置が一体化されているため、質量が大きく、天井の補強工事や製品を天井裏のスラブ面などから吊下げる工事も必要であった。更に圧縮機が内蔵されているため、装置の振動が大きく、騒音の増大や天井への振動伝播も問題であった。
【０００５】
また、設置現場が賃貸物件の場合、転居後に現場を元どおりに復帰させなければならないので、既設の浴室への天井開口工事をともなう衣類乾燥装置の設置は困難であった。
【０００６】
本発明は、上記課題を解決するためになされたもので、その目的は、設置工事の簡略化を図るとともに、設置現場が賃貸物件であっても原状復帰が可能な浴室除湿機を提供することにある。
【０００７】
【課題を解決するための手段及びその作用・効果】
本発明は、浴室内の空気を吸い込んで浴室内へ吹出す循環用送風機と、浴室内から吸い込んだ空気を冷却する蒸発器と、蒸発器で冷却された空気を再加熱する凝縮器と、冷媒を圧縮して凝縮器及び蒸発器へ冷媒を循環させる圧縮機と、圧縮機と凝縮器と蒸発器とをそれぞれ接続して冷媒を循環させるための冷媒配管とを備え、循環用送風機と蒸発器と凝縮器を収納する室内機を浴室内の天井表面又は壁表面に設置するとともに、圧縮機を浴室の天井裏に分離設置したことを特徴としている。
【０００８】
この構成によれば、室内機と圧縮機を分離設置していることにより、室内機の質量が小さくてすみ、さらに天井の補強工事や製品を天井裏のスラブ面などから吊下げる工事も必要でないため、設置工事が簡略化されるとともに、圧縮機が天井裏に設置されることにより浴室への騒音も小さくなる。
【０００９】
また、室内機を既設のまたは新設の浴室内の空気を排気する換気扇の収納ケースに一体形成された、換気扇を浴室の天井に取付けるためのフランジ部に取付けるようにしたので、天井等に新たな開口を設ける必要がなく、設置現場が賃貸物件であっても原状復帰が可能となる。
【００１０】
また、浴室除湿機と換気扇の両方を制御する制御装置は、圧縮機を収納する圧縮機収納ケース内に搭載するようにすれば、制御装置が天井裏に位置するため湿気に晒されなくて済み、さらにケース内に搭載されていることにより、天井裏の埃等から保護されるため、耐久性が増すのとともに、製品の信頼性が向上する。
【００１１】
さらに、換気扇に接続されている電源供給のための既設の電源線を外して該既設の電源線を制御装置に接続し、新設の電源線を制御装置と換気扇に接続して制御装置より換気扇へ電源供給するようにするとともに、制御装置と室内機の循環用送風機に運転指令のための出力信号線を接続したことにより、新たに屋内分電盤より電源を取り込む電源工事が必要なくなり、簡単な配線作業で浴室除湿機の設置が可能となる。
【００１２】
また、出力信号線及び冷媒配管をフランジ部に貫通させるとともに、室内機の表面化粧パネルで換気扇のフランジ部を覆って見えなくしたことにより、浴室の天井面に加工跡を残すことなく、原状復帰の際、フランジ部に貫通した開口跡も換気扇の化粧パネルに覆われてしまうので、設置現場が賃貸物件であっても原状復帰が可能となる上、製品を取付けた状態で、換気扇が表に露出することなく、見栄えの良い浴室除湿機を提供することができる。
【００１３】
また、蒸発器の下方に蒸発器の表面で発生した結露水を受けるための受け皿を設置し、該受け皿には結露水を浴室内へ排水させるようにすれば、結露水の大掛かりな排水機構を設ける必要がなく、浴室内は水で濡れても問題ないことより、簡単な構造で結露水を処理することができる。
【００１４】
さらにまた、室内機に浴室の湿度を検出する湿度センサーを設置し、制御装置に予め記憶させた設定湿度の値と湿度センサーで検出された湿度の値との比較結果から、換気扇の運転または浴室除湿機の運転を選択することより、浴室の湿度状況に応じた効率の良い除湿運転が可能となる。
【００１５】
さらにまた、制御装置は、浴室内において衣類等を乾燥させる乾燥運転の初期には換気扇による換気運転を行い、換気扇の運転停止後は浴室除湿機による除湿運転に切替えるようにすれば、簡単な制御で浴室内を迅速かつ低コストに除湿することができる。
【００１６】
【発明の実施の形態】
以下に、本発明の実施の形態を添付図面によって詳細に説明する。図１は、本発明の一実施形態に係る浴室除湿機の設置例を示す全体構成図であり、図２は、本発明の一実施形態に係る浴室除湿機の室内機及び換気扇の断面図、図３は、浴室除湿機の圧縮機収納ケースの断面図である。図４は圧縮機収納ケースの別の設置例である。図５は、遠隔操作部の実施形態である。図６は、圧縮機、凝縮器、蒸発器、送風機、制御装置などが一体となって納まり、浴室天井の開口に設置される形態の従来例である。
【００１７】
図１に示すように、浴室除湿機Ｆは、浴室Ｄ内側から換気扇Ｃとともに天井２０に取付けられる室内機Ａと浴室Ｄの天井裏に設置された圧縮機収納ケースＢから構成されている。
【００１８】
換気扇Ｃは、浴室Ｄと脱衣所Ｅとトイレ（図示せず）の３室を換気するタイプのものであり、換気扇Ｃには、屋外に空気を排出するための排気ダクト３１と、脱衣所Ｅの空気を吸込むための脱衣所吸気ダクト３２と、トイレ（図示せず）の空気を吸込むためのトイレ吸気ダクト３３が接続されている。また、換気扇Ｃは、脱衣所Ｅに設けられている遠隔操作部３０の操作により、または、トイレ側に設けられているトイレ用の操作スイッチ（図示せず）の操作により換気運転されるとともに、後述するように、遠隔操作部３０の操作により浴室除湿機を運転するように構成されている。
【００１９】
また、浴室Ｄの天井裏では、換気扇Ｃに接続されていた屋内分電盤（図示せず）からの電源線３５を浴室除湿機Ｆに給電するために圧縮機収納ケースＢ内に内蔵された制御装置２６に結線するとともに、換気扇Ｃへの給電は浴室除湿機Ｆから電源線３６を介して行う。更にトイレ用の操作スイッチ（図示せず）からのトイレ用電線３７を制御装置２６に結線している。
【００２０】
図２では室内機Ａ及び換気扇Ｃの断面を示している。また、図３では圧縮機収納ケースＢの断面を示している。室内機Ａは、表面化粧パネル１、循環用送風機２、蒸発器３、凝縮器４、取付基板５で構成されている。表面化粧パネル１に付属する吸込口６から吸込まれた浴室内の空気は、まず蒸発器３を通過する。この時、空気は蒸発器３で冷やされ、空気中の水分が飽和し蒸発器３表面で結露する。その後、凝縮器４を通過する時に再加熱され、ほぼ浴室の気温に戻り、循環用送風機２により、表面化粧パネル１に開口された吹出口７より浴室内へ吹出される。換気扇Ｃは、換気扇の収納ケース９、換気送風機１０、空気を屋外に排出するための排気接続口１１、脱衣所Ｅ内からの空気を吸込む吸気接続口１２、トイレ室内からの空気を吸込むトイレ吸気接続口（図示せず）で構成している。
【００２１】
以上の構成において、換気扇Ｃへの室内機Ａの取付方法について、以下に詳述する。
【００２２】
換気扇Ｃへの室内機Ａの取付けは、まず、換気扇Ｃに取付けられている化粧パネル（図示せず）を取り外して、換気扇の収納ケース９に一体形成されているフランジ部９ａが、浴室Ｄ側から天井２０と補強のための補強木２１に対して固定されている固定部材としてのビス２２を取り外し、取り外した後のビス穴１９を利用して、室内機Ａの取付基板５をフランジ部９ａ、天井２０、補強木２１とともに、ビス２２により固定する。取付基板５に対して室内機Ａの表面化粧パネル１を取付けて、換気扇Ｃへの室内機Ａの取付けが完了する。
【００２３】
このように、室内機Ａを換気扇Ｃに対して取付けることにより天井等に新たな開口を設ける必要がなく、設置現場が賃貸物件であっても原状復帰が可能となるのとともに、換気扇Ｃが既設されている場合には天井２０から取り外すことなく、換気扇Ｃに室内機Ａを容易に、且つ、楽に取付けることができる。
【００２４】
浴室除湿機Ｆに給電するための配線は、換気扇Ｃに接続されていた屋内分電盤（図示せず）からの電源線３５を用いる。電源線３５を換気扇Ｃから取り外し、圧縮機収納ケースＢに内蔵された制御装置２６へ接続し、制御装置２６から新たな電源線３６を換気扇Ｃに接続する。制御装置２６から室内機Ａへの信号線３４及び冷媒配管２４を、換気扇の収納ケース９のフランジ部９ａ、天井２０及び補強木２１にドリル等の穴開け工具により信号線３４及び冷媒配管２４が挿通する程度に開けた穴（図示せず）とを挿通させて、室内機Ａに接続している。このように、新たな穴（図示せず）を開けた場合であっても、原状復帰する時には換気扇Ｃの化粧板（図示せず）に覆われるので、原状復帰が可能である。また、表面化粧パネル１は、フランジ部９ａに対して覆うように取付けられているので、製品を取付けた状態で、換気扇が表に露出することなく、見栄えが良い。
【００２５】
蒸発器３の下方には結露水を受ける受け皿１３を設置し、溜まった結露水は受け皿１３に付属するドレーンパイプ１４から、ドレーンパイプ１４の先端に接続されたホースを通って、浴室の排水部などへ流す構成とする。受け皿に温水ヒータなどを内蔵すれば、結露水を蒸発させ、換気扇を運転することで、室外へ排出させることもできる。
【００２６】
吹出口に空気の吹出し方向を可変させるための電動ルーバ１５を設置すれば、吹出し方向を広く変更することができ、換気扇Ｃの位置により、浴室除湿機Ｆの室内機Ａの取付け位置が最適化できない場合であっても、衣類などの被乾燥物に風を当てることができる。
【００２７】
室内機Ａに遠赤外線ヒータ又は吹出口付近に温風ヒータ１６を備えることで、浴室暖房運転が可能になる。また、衣類乾燥運転時に温風ヒータ１６へ通電することで、さらに乾燥効率を上げることができる。
【００２８】
室内機に湿度センサー１７を設置すれば、浴室の環境に応じた湿度制御を実現できる。
【００２９】
室内機に受光センサー１８などを設置すれば、無線式の遠隔操作部３０から浴室除湿機の運転操作ができる。
【００３０】
一方、図３に示すように、圧縮機収納ケースＢは、冷媒を圧縮し室内機Ａの凝縮器４から蒸発器３へ冷媒を循環させる圧縮機２５と、浴室除湿機Ｆ及び換気扇Ｃの運転を制御する制御装置２６を収納している。制御装置２６を室内機Ａに搭載すると浴室Ｄの湿度に晒される為、それを回避する目的で、制御装置２６は圧縮機収納ケースＢに搭載している。圧縮機２５は質量が大きいだけでなく振動も大きいため、圧縮機収納ケースＢは防振ゴム２３でマウントされ、天井裏のうち、最も剛性の高い位置に設置される。
【００３１】
圧縮機２５をインバータ制御可能であるため、浴室の湿度コントロールを経済的に行える。
【００３２】
図４では圧縮機収納ケースＢの別の設置例を示している。圧縮機２５の振動を天井２０に伝えないために、建築のスラブ面２８にアンカーボルト２７を打ち込み、アンカーボルト２７に圧縮機収納ケースＢを固定支持した場合である。
【００３３】
図５は遠隔操作部３０の一例を示している。遠隔操作部３０には、浴室除湿スイッチ、衣類乾燥スイッチ、換気スイッチ、ドライキープスイッチがあり、室内機に温風ヒータ１６が内蔵されている場合には、浴室暖房スイッチも設定される。
【００３４】
浴室除湿スイッチをオンすると、湿度センサー１７で検出された湿度の値が制御装置２６に予め記憶された湿度より高い場合、換気扇Ｃによる換気運転が開始され、同時または遅れて圧縮機２５及び循環用送風機２が動作を開始し、浴室除湿機Ｆによる除湿運転が開始する。さらに、湿度センサー１７で検出された湿度の値が制御装置２６に予め記憶された湿度より低くなると、換気扇Ｃによる換気運転は停止し、浴室除湿機Ｆによる除湿運転は、設定されたタイマーが切れるまで運転を継続する。
【００３５】
衣類乾燥スイッチをオンすると、乾燥の初期には換気扇Ｃによる換気運転が行われ、さらに一定の時間が過ぎた後には、圧縮機２５及び循環用送風機２が動作を開始し、浴室除湿機Ｆによる除湿運転が開始する。このように乾燥初期の湿気の充満した浴室内を換気運転で強制的に湿気を排除し、その後除湿運転を行うことで、ランニングコストを抑えた効率的な乾燥が可能となる。また、このとき、電動ルーバ１５により、吹出口７より吹出される乾燥した空気が吹出し方向を変えながら衣類に当たるよう運転し、乾燥効率を高める。
【００３６】
換気スイッチをオンすると、換気扇Ｃが、タイマーが切れるまで運転継続される。制御装置２６は、換気送風機１０をインバータ制御することができるため、換気風量を任意に調整することができ、浴室内の環境に応じた最適な運転を行うことにより、経済性の向上を図ることができる。
【００３７】
ドライキープスイッチをオンすると、湿度センサー１７で検出された湿度の値が制御装置２６に予め記憶された湿度より高い場合、圧縮機２５及び循環用送風機２が動作を開始し、浴室除湿機Ｆによる除湿運転が開始する。さらに、湿度センサー１７で検出された湿度の値が制御装置２６に予め記憶された湿度より低くなると、圧縮機２５及び循環用送風機２が動作が停止し、浴室除湿機Ｆによる除湿運転が中断する。さらにまた、湿度センサー１７で検出された湿度の値が制御装置２６に予め記憶された湿度より高くなると、圧縮機２５及び循環用送風機２が動作を開始し、浴室除湿機Ｆによる除湿運転が再開する。このようにして除湿運転が運転及び停止を繰り返すことにより、浴室内の湿度が一定に保たれ、浴室内を常にカビの発生を抑える状態にすることができる。
【００３８】
また、圧縮機２５をインバータ制御可能とした場合には、浴室内の湿度制御が容易に可能となり、浴室内の湿度状況に応じた最適な運転を行うことにより、経済性の向上を図ることができる。
【００３９】
暖房スイッチをオンすると、温風ヒータ１６への通電が行われるのとともに循環用送風機２が運転を開始し、浴室を暖房する。その際、制御装置２６は、温風ヒータ１６への通電量を制御することができるため、浴室除湿機の合計使用電力を調整することができ、ランニングコストを抑えた浴室除湿機を提供できるとともに、屋内分電盤のブレーカが遮断しにくくなるなど使い勝手を向上させることができる。
【００４０】
図６は衣類乾燥装置の従来例である。除湿機能を持たせて衣類の乾燥制御を行うことができるようにしたものである。かかる衣類乾燥装置には、圧縮機４１、凝縮器４２、蒸発器４３、送風機４４、排気接続口４５、などが一体となって納まり、浴室の天井に専用の開口を明けて開口を通して天井裏に設置される形態である。この従来例では、浴室の天井に専用開口を新設する必要があり、また、ダクトの配管や配線工事をしなければならない。又、装置が一体化されているため、質量が大きく、天井の補強工事や製品を天井裏のスラブ面などから吊下げる工事も必要である。更に圧縮機が内蔵されているため、装置の振動が大きく、天井への振動伝播も大きい。
【００４１】
上述した内容はあくまで本発明の一実施形態に関するものであって、本発明が上記内容のみに限定されることを意味されるものでない。
【図面の簡単な説明】
【図１】本発明の一実施形態に係る浴室除湿機の設置例を示す全体構成図である。
【図２】本発明の一実施形態に係る室内機及び換気扇の断面図である。
【図３】本発明の一実施形態に係る圧縮機収納ケースの断面図である。
【図４】本発明の一実施形態に係る圧縮機収納ケースの設置例である。
【図５】本発明の一実施形態に係る遠隔操作部の実施形態である。
【図６】従来例の構成図である。
【符号の説明】
Ａ…室内機
Ｂ…圧縮機収納ケース
Ｃ…既設の換気扇
Ｄ…浴室
Ｅ…脱衣所
Ｆ…浴室除湿機
１…表面化粧パネル
２…循環用送風機
３…蒸発器
４…凝縮器
５…取付基板
６…吸込口
７…吹出口
９…換気扇の収納ケース
９ａ…フランジ部
１０…換気送風機
１１…排気接続口
１２…吸気接続口
１３…受け皿
１４…ドレーンパイプ
１５…電動ルーバ
１６…温風ヒータ
１７…湿度センサー
１８…受光センサー
１９…ビス穴
２０…天井
２１…補強木
２２…ビス
２３…防振ゴム
２４…冷媒配管
２５…圧縮機
２６…制御装置
２７…アンカーボルト
２８…スラブ面
３０…遠隔操作部
３１…排気ダクト
３２…脱衣所吸気ダクト
３３…トイレ吸気ダクト
３４…信号線
３５…電源線
３６…電源線
３７…トイレ用電線
４１…圧縮機
４２…凝縮器
４３…蒸発器
４４…送風機
４５…排気接続口
【図１】
2004163081.tif 000003
【図２】
2004163081.tif 000004
【図３】
2004163081.tif 000005
【図４】
2004163081.tif 000006
【図５】
2004163081.tif 000007
【図６】
2004163081.tif 000008